(57)【特許請求の範囲】
【請求項１】
柱状の軸部と、
円筒状に形成され、かつスリットが設けられているとともに、前記軸部の外周に嵌合する円筒部と、
前記円筒部を縮径する方向に付勢して、前記円筒部を前記軸部に固定する締め付け手段と、を備えた円筒体の取付構造において、
前記締め付け手段の前記円筒部を縮径する方向の付勢力を緩和する緩和手段を備え、
前記締め付け手段は、略円環状の部材の一部に切欠きが形成されて、平面形状が略Ｃ字状に形成されて、前記円筒部の外周に嵌合するとともに、
前記緩和手段は、前記円筒部の外周面から凸でかつ前記切欠き内に位置付けられる突起であることを特徴とする円筒体の取付構造。
【請求項２】
前記締め付け手段の内径は、前記円筒部の外径より小さいことを特徴とする請求項１記載の円筒体の取付構造。
【請求項３】
前記突起の前記円筒部の周方向の幅が、前記切欠きの前記締め付け手段の周方向の少なくとも一部の幅より大きいことを特徴とする請求項１記載の円筒体の取付構造。
【請求項４】
請求項１ないし請求項３のうちいずれか一項に記載された円筒体の取付構造を備えたことを特徴とする電子機器。
【発明の詳細な説明】
【技術分野】
【０００１】
本発明は、例えば、ＡＶ機器などの各種の電子機器の操作部に設けられたノブなどを電子機器本体に取り付けるための円筒体の取付構造及び該円筒体の取付構造を備えた電子機器に関する。
【背景技術】
【０００２】
例えば、ＣＤ（Compact Disk）などの光ディスクに記録された情報を読み出して、再生するＡＶ機器などの電子機器は、機器本体と、該機器本体内に収容されかつ前記ＣＤなどの光ディスクをクランプして該光ディスクから情報を読み出す再生部と、前記機器本体の表面に設けられかつ各種の操作を行う際に用いられる操作部とを備えている。
【０００３】
前述した操作部は、電子機器の機器本体から突出した柱状の軸部と、前記軸部の外周に嵌合する円筒部と、円筒部を締め付けるばねと、前記円筒部に連なるノブとを備えている。軸部は、軸芯に沿って移動自在に設けられているとともに、軸芯周りに回転自在に設けられている。機器本体には、軸部の軸芯方向の移動を検出可能なプッシュスイッチや軸部の軸芯回りの回転量を検出可能なエンコーダなどの各種のスイッチが取り付けられている。
【０００４】
円筒部は、内径が前記軸部の外径と略等しく形成されている。円筒部には、複数のスリットが設けられている。円筒部は、軸部の外周に嵌合する。
【０００５】
ばねは、平面形状がＣ字状に形成されているとともに、円筒部の外周に嵌合する。ばねは、円筒部の内径が縮小する方向に該円筒部を付勢する（即ち、円筒部を締め付ける）。ばねは、円筒部を締め付けることで、円筒部を軸部に固定する。ノブは、厚手の円盤状に形成されている。
【０００６】
前述した操作部は、ノブが押圧されて、プッシュスイッチが該ノブが押圧されたことを検出する。また、操作部は、ノブが、軸部即ち円筒部の軸芯回りに回転されて、該軸部が回転したことをエンコーダが検出する。こうして、操作部には、各種の入力動作が行われる。
【発明の開示】
【発明が解決しようとする課題】
［０００７］
前述した従来の操作部即ち円筒部を軸部に固定する円筒体の取付構造では、ばねにより締め付けられる円筒部にスリットを設けることで、円筒部を軸部に固定してきた。このため、円筒部の外周にばねが嵌合し、該円筒部が軸部に嵌合していない状態で、長期間保管すると、ばねが円筒部を長期間締め続けることがある。例えば、ノブと円筒部を樹脂成形品で製造し、該円筒部にばねを組み付けて、これらを機器本体の組立ラインまで搬送する際に、ばねが円筒部を長期間締め続けることが考えられる。
［０００８］
このため、例えば、ばねが円筒部を長期間締め続けて、円筒部が縮径していまい、円筒部を軸部に嵌合しにくくなることがあった。則ち、円筒体の取付構造が組み立てにくくなることがあった。また、前述したばねの締め付け力を弱くして、組み立て易くすることも考えられる。この場合、円筒部を軸部に固定できずに、例えば、所望の操作などを確実に機器本体に入力することが困難になる。
［０００９］
したがって、本発明の目的は、例えば、円筒部を容易に軸部に取り付けることができる円筒体の取付構造を提供することにある。
【課題を解決するための手段】
［００１０］
前述した課題を解決し目的を達成するために、請求項１に記載の本発明の円筒体の取付構造は、柱状の軸部と、円筒状に形成され、かつスリットが設けられているとともに、前記軸部の外周に嵌合する円筒部と、前記円筒部を縮径する方向に付勢して、前記円筒部を前記軸部に固定する締め付け手段と、を備えた円筒体の取付構造において、前記締め付け手段の前記円筒部を縮径する方向の付勢力を緩和する緩和手段を備え、前記締め付け手段は、略円環状の部材の一部に切欠きが形成されて、平面形状が略Ｃ字状に形成されて、前記円筒部の外周に嵌合するとともに、前記緩和手段は前記円筒部の外周面から凸でかつ前記切欠き内に位置付けられる突起であることを特徴としている。
【図面の簡単な説明】
［００１１］
［図１］本発明の一実施例にかかる円筒体の取付構造を備えたＡＶ機器を示す斜視図である。
【図２】図１に示されたＡＶ機器の複合スイッチの分解斜視図である。
【図３】図２に示された複合スイッチの円筒体の取付構造の軸部を示す斜視図である。
【図４】図２に示された複合スイッチの円筒体の取付構造の円筒部を示す斜視図である。
【図５】図２に示された複合スイッチの円筒体の取付構造の締め付けばねを示す斜視図である。
【図６】図５に示された締め付けばねを図４に示された円筒部の外周に嵌合させた状態を示す斜視図である。
【図７】図６に示された円筒部を図３に示された軸部の外周に嵌合した状態を示す斜視図である。
【図８】図７に示された円筒体の取付構造の変形例を示す斜視図である。
【図９】図１に示された円筒体の取付構造の軸部の変形例を示す斜視図である。
【図１０】図９に示された軸部の正面図である。
【図１１】（ａ）（ｂ）（ｃ）ともに図５に示された締め付けばねの変形例を示す斜視図である。
【符号の説明】
【００１２】
１  ＡＶ機器
１３  円筒体の取付構造
１５  軸部
１６  円筒部
１７  締め付けばね（締め付け手段）
１８  突起（緩和手段）
１９  スリット
２０  切欠き
Ｈ  突起の幅
ｈ  切欠きの幅
ｒｂ  締め付けばねの内径（締め付け手段の内径）
Ｒｂ  締め付けばねの内径（締め付け手段の内径）
【発明を実施するための最良の形態】
【００１３】
以下、本発明の一実施形態を説明する。本発明の一実施形態にかかる円筒体の取付構造は、緩和手段が締め付け手段の円筒部を締め付ける力を緩和することで、円筒部が縮径（内外径が縮小すること）するように変形することを防止して、円筒部を容易に軸部に取り付けることを可能にしている。
【００１４】
また、締め付け手段をＣ字状に形成し、緩和手段が締め付け手段の切欠き内に位置付けられる突起としても良い。
【００１５】
さらに、締め付け手段の内径を前記円筒部の外径より小さくしても良い。
【００１６】
また、突起の幅を切欠きの幅より大きくしても良い。
【実施例】
【００１７】
本発明の一実施例を、図１ないし図７に基づいて説明する。本発明の一実施例に係る電子機器としてのＡＶ（Audio-Visual）機器１は、移動体としての自動車のインストルメントパネル（以下、インパネと呼ぶ）などに装着される。
【００１８】
ＡＶ機器１は、図１に示すように、機器本体２と、再生装置としてのＣＤ（Compact Disk）プレーヤ３と、再生装置としてのＭＤ（Mini disc）プレーヤ４と、ラジオ放送を受信するＡＭ／ＦＭチューナ５と、表示部６と、操作部７とを備えている。
【００１９】
機器本体２は、箱状に形成されかつ前述したインパネに取り付けられる。機器本体２の図１中手前側に位置する一つの面２ａ（以下、前面と呼ぶ）には、ＣＤ用挿入口８と、ＭＤ用挿入口９とが開口している。なお、前面２ａは、機器本体２がインパネに取り付けられると、外部に露出するとともに乗員（使用者ともいう）に相対する面である。ＣＤ用挿入口８は、内側にＣＤを通して、該ＣＤを機器本体２即ちＣＤプレーヤ３に出し入れする。ＭＤ用挿入口９は、内側にＭＤを通して、該ＭＤを機器本体２即ちＭＤプレーヤ４に出し入れする。
【００２０】
ＣＤプレーヤ３は、機器本体２に挿入されたＣＤの情報を読み出して、音声として出力する。ＭＤプレーヤ４は、機器本体２に挿入されたＭＤの情報を読み出して、音声として出力する。ＡＭ／ＦＭチューナ５は、ラジオ放送を受信して、音声として出力する。これらのプレーヤ３，４及びチューナ５は、操作部７に設けられた後述する押しボタン１１等を使用者が押圧することによって動作する。
【００２１】
表示部６は、前述した前面２ａに取り付けられた蛍光表示管などからなる情報を表示する表示パネル１０とを備えている。表示部３は、表示パネル１０に再生中のＣＤやＭＤのプログラムやチューナ５が受信中の放送局名などの情報を表示する。
【００２２】
操作部７は、複数の押しボタン１１と、一つの複合スイッチ１２などを備えている。押しボタン１１は、機器本体２の前面２ａに設けられている。押しボタン１１は、使用者により押圧されることにより操作される。これらの押しボタン１１が操作されることにより、機器本体３内に収容された各種プレーヤ３，４やチューナ５等が動作する。
【００２３】
複合スイッチ１２は、ＡＶ機器１全体の電源のオン・オフと、再生中又は受信中のプログラムの音量を調整するために用いられる。複合スイッチ１２は、図２に示すように、円筒体の取付構造（以下、単に取付構造と記す）１３と、ノブ１４とを備えている。
【００２４】
取付構造１３は、図２に示すように、軸部１５と、円筒部１６と、締め付け手段としての締め付けばね１７と、緩和手段としての突起１８とを備えている。軸部１５は、図３に示すように、円柱状に形成され、機器本体２に取り付けられている。軸部１５は、機器本体２にその軸芯Ｐに沿って移動自在に設けられているとともに、軸芯Ｐ周りに回転自在に設けられている。軸部１５は、機器本体２から突出する方向に付勢されている。また、軸部１５の周りには、該軸部１５が付勢力に抗して機器本体２の前面２ａに没する方向に軸芯Ｐに沿って移動したことを検出可能なプッシュスイッチと、該軸部１５の軸芯Ｐ周りの回転量を検出可能なエンコーダとが設けられている。
【００２５】
円筒部１６は、図４に示すように、円筒状に形成されている。円筒部１６の内径Ｒａは、軸部１５の外径ｒａより若干小さい。円筒部１６には、複数のスリット１９が設けられている、スリット１９は、図示例では、二つ設けられている。スリット１９は、円筒部１６の後述するノブ１４から離れた側の縁から該円筒部１６の軸芯に沿って直線状に延在している。円筒部１６は、前述したスリット１９が設けられることで、その内外径Ｒａ，Ｒｂが拡縮（拡がったり縮むこと）自在となっている。円筒部１６は、軸部１５の外周に嵌合して、該軸部１５に取り付けられる。
【００２６】
締め付けばね１７は、図５に示すように、略円環状の部材の一部に切欠き２０が形成され、平面形状が略Ｃ字状に形成されている。切欠き２０は、締め付けばね１７の軸芯に沿った全長に亘って設けられている。締め付けばね１７の内径ｒｂは、前述した円筒部１６の外径Ｒｂより若干小さい。
【００２７】
締め付けばね１７は、円筒部１６の外周に嵌合して、該円筒部１６に取り付けられる。締め付けばね１７は、円筒部１６の外周に嵌合すると、円筒部１６を縮径（内外径Ｒａ，Ｒｂが縮小すること）する方向に付勢して、該円筒部１６を軸部１５に固定する。締め付けばね１７が円筒部１６の外周に嵌合し、円筒部１６が軸部１５の外周に嵌合すると、軸部１５と、円筒部１６と、締め付けばね１７とは、互いに同軸になる。
【００２８】
突起１８は、円筒部１６の外周面から凸でかつ該円筒部１６と一体に形成されている。突起１８は、円筒部１６の軸芯に沿って直線状に延びている。突起１８は、円筒部１６の外周に締め付けばね１７が嵌合すると、前述した切欠き２０内に位置付けられる。また、突起１８の円筒部１６の周方向の幅Ｈは、弾性変形していない中立状態の締め付けばね１７の切欠き２０の周方向の幅ｈより大きくしている。
【００２９】
ノブ１４は、厚手の円盤状に形成され、円筒部１６の端部に連なっている。即ち、ノブ１４は、円筒部１６と一体に形成されている。ノブ１４は、円筒部１６が軸部１５の外周に嵌合すると、機器本体２の前面２ａより使用者側即ち前方に露出する。
【００３０】
前述した取付構造１３を組み立てる際、即ち、円筒部１６及びノブ１４（複合スイッチ１２）を機器本体２に取り付ける際には、以下に示すように行う。まず、図６に示すように、円筒部１６の外周に締め付けばね１７を嵌合させる。このとき、締め付けばね１７の切欠き２０内に突起１８を位置付ける。すると、締め付けばね１７の内径ｒｂが円筒部１６の外径Ｒｂより小さいので、締め付けばね１７の付勢力により、円筒部１６の内外径Ｒａ，Ｒｂが縮小する。
【００３１】
そして、突起１８の幅Ｈが切欠き２０の幅ｈより大きいので、円筒部１６の内外径Ｒａ，Ｒｂが縮小すると、締め付けばね１７の切欠き２０に面する縁が突起１８に当接する。すると、締め付けばね１７が、円筒部１６を縮径する方向に付勢できなくなる（縮径する方向に付勢することが規制される）。こうして、突起１８は、締め付けばね１７が過度に円筒部１６を縮径する方向に付勢することを規制して、該締め付けばね１７の前記円筒部１６を縮径する方向の付勢力を緩和する。
【００３２】
そして、外周に締め付けばね１７が嵌合した円筒部１６を軸部１５の外周に嵌合させる。すると、軸部１５の外径Ｒａより円筒部１６の内径Ｒａが小さいので、円筒部１６の内外径Ｒａ，Ｒｂが拡がる。すると、突起１８と締め付けばね１７の切欠き２０に面する縁とが離れて（締め付けばね１７が拡径して）、該締め付けばね１７が円筒部１６を縮径する方向に付勢する。そして、締め付けばね１７は、円筒部１６を軸部１５に固定する。こうして、前述した取付構造１３が組み立てられる（即ち、円筒部１６とノブ１４が機器本体２に取り付けられるとともに、複合スイッチ１２が組み立てられる）。
【００３３】
このように組立られた複合スイッチ１２は、ノブ１４が押圧されることで、軸部１５が機器本体２に没する方向に軸芯Ｐに沿って移動して、プッシュスイッチを押圧する。そして、複合スイッチ１２は、例えば、ＡＶ機器１全体の電源をオン・オフする。また、複合スイッチ１２は、ノブ１４が軸芯Ｐ周りに回転されることで、円筒部１６とともに軸部１５が軸芯Ｐ周りに回転して、エンコーダが軸部の回転量を測定する。そして、複合スイッチ１２は、例えば、再生または受信中の音声を大きくしたり小さくする。
【００３４】
本実施例によれば、突起１８が締め付けばね１７の円筒部１６を締め付ける力を緩和するので、締め付けばね１７が長期間に亘って円筒部１６を締め付けても、円筒部１６が縮径（内外径が縮小すること）するように変形することを防止できる。このため、円筒部１６を容易に軸部１６の外周に嵌合させること（に取り付けること）ができる。
【００３５】
締め付けばね１７をＣ字状に形成し、突起１８を締め付けばね１７の切欠き２０内に位置付けている。このため、円筒部１６が軸部１５の外周に嵌合していない状態では、締め付けばね１７が円筒部１６を締め付けると、該締め付けばね１７が突起１８に当接する。
【００３６】
このため、円筒部１６が軸部１５の外周に嵌合していない状態で締め付けばね１７が過度に円筒部１６を締め付けることを防止できる。したがって、軸部１５の外周に嵌合していない状態の円筒部１６が縮径（内外径が縮小すること）するように変形することを防止できる。
【００３７】
締め付けばね１７の内径ｒｂを円筒部１６の外径Ｒｂより小さくしている。このため、円筒部１６を軸部１５の外周に嵌合させると、締め付けばね１７が確実に円筒部１６を締め付けることとなる。したがって、軸部１５に円筒部１６を確実に固定できる。
【００３８】
また、本発明では、図８に示すように、軸部１５に突起１８と干渉する干渉突起２１を設けても良い。この干渉突起２１は、突起１８と干渉することで、軸部１５の回転可能な範囲を定める。この干渉突起２１により軸部１５の過剰な回転を規制する。なお、図８において、前述した実施形態と同一部分には同一符号を付して説明を省略する。
【００３９】
さらに、本発明では、軸部１５は、円柱状に限ることなく、例えば、図９及び図１０に記載されたように、平面形状がＤ字状に形成されたものや、角柱状のものでもよい。要するに、本発明では、軸部１５は、柱状であれば良い。なお、図９及び図１０において、前述した実施例と同一部分には、同一符号を付して説明を省略する。
【００４０】
また、本発明では、図１１（ａ）ないし図１１（ｃ）に示すように、締め付けばね１７の切欠き２０の内縁を種々の形状に形成しても良い。図１１（ａ）では、切欠き２０が軸芯に沿って徐々に拡がる（小さくなる）ように、切欠き２０の内縁を軸芯に対して傾斜させている。また、図１１（ｂ）及び図１１（ｃ）では、切欠き２０内縁の中央に該切欠き２０の幅を小さくなる方向に凸の突起を設けている。図１１（ｂ）では、突起と切欠き２０の内縁とを直線状のテーパ面で連ね、図１１（ｃ）では、突起と切欠き２０の内縁とを円弧状の曲面で連ねている。なお、図１１（ａ）ないし図１１（ｃ）において、前述した実施例と同一部分には、同一符号を付して説明を省略する。
【００４１】
要するに、本発明では、突起１８の円筒部１６の周方向の幅Ｈを切欠き２０の前記締め付けばね１７の周方向の少なくとも一部の幅ｈより大きくすれば良い。なお、本明細書では、切欠き２０の幅ｈを、該切欠き２０の幅のうち最も狭い部分の幅としている。
【００４２】
前述した実施例では、電子機器として自動車に取り付けられるＡＶ機器１を示している。しかしながら、本発明では、ＡＶ機器１に限らず、種々の電子機器に適用しても良い。
【００４３】
また、前述した実施例では、突起１８を円筒部１６に一体にしている。しかしながら、本発明では、緩和手段としての突起１８と、円筒部１６とを互いに別体にしても良い。さらに、本発明では、緩和手段を突起１８以外の種々の構成にしても良く、締め付け手段を締め付けばね１７以外の種々の構成にしても良い。
【００４４】
さらに、前述した実施例では、取付構造１３は、複合スイッチ１２を構成している。しかしながら、本発明では、取付構造１３は、種々の部品などを構成しても良い。
【００４５】
前述した実施例によれば、以下の円筒体の取付構造１３及びＡＶ機器１が得られる。
【００４６】
（付記１）  柱状の軸部１５と、
円筒状に形成され、かつスリット１９が設けられているとともに、前記軸部１５の外周に嵌合する円筒部１６と、
前記円筒部１６を縮径する方向に付勢して、前記円筒部１６を前記軸部１５に固定する締め付けばね１７と、を備えた円筒体の取付構造１３において、
前記締め付けばね１７の前記円筒部１６を縮径する方向の付勢力を緩和する突起１８を備えたことを特徴とする円筒体の取付構造１３。
【００４７】
（付記２）  前記締め付けばね１７は、略円環状の部材の一部に切欠き２０が形成されて、平面形状が略Ｃ字状に形成されて、前記円筒部１６の外周に嵌合するとともに、
前記突起１８は、前記円筒部１６の外周面から凸でかつ前記切欠き２０内に位置付けられることを特徴とする付記１記載の円筒体の取付構造１３。
【００４８】
（付記３）  前記締め付けばね１７の内径ｒｂは、前記円筒部１６の外径Ｒｂより小さいことを特徴とする付記２記載の円筒体の取付構造１３。
【００４９】
（付記４）  前記突起１３の前記円筒部１６の周方向の幅Ｈが、前記切欠き２０の前記締め付けばね１７の周方向の少なくとも一部の幅ｈより大きいことを特徴とする付記２記載の円筒体の取付構造１３。
【００５０】
（付記５）  付記１ないし付記４のうちいずれか一項に記載の円筒体の取付構造１３を備えたことを特徴とするＡＶ機器１。
【００５１】
付記１によれば、突起１８が締め付けばね１７の円筒部１６を締め付ける力を緩和するので、締め付けばね１７が長期間に亘って円筒部１６を締め付けても、円筒部１６が縮径（内外径が縮小すること）するように変形することを防止できる。このため、円筒部１６を容易に軸部１６の外周に嵌合させること（に取り付けること）ができる。
【００５２】
なお、前述した実施例は本発明の代表的な形態を示したに過ぎず、本発明は、実施例に限定されるものではない。即ち、本発明の骨子を逸脱しない範囲で種々変形して実施することができる。
【図１】
0004263757.tif 000002
【図２】
0004263757.tif 000003
【図３】
0004263757.tif 000004
【図４】
0004263757.tif 000005
【図５】
0004263757.tif 000006
【図６】
0004263757.tif 000007
【図７】
0004263757.tif 000008
【図８】
0004263757.tif 000009
【図９】
0004263757.tif 000010
【図１０】
0004263757.tif 000011
【図１１】
0004263757.tif 000012